(57)【要約】【課題】アッパケースの開放検出用の光センサを備えたセキュリティ機器において、光センサが不正に壊されることを回避し、光センサが外部光によって誤動作することを回避する。【解決手段】ロアケース３に、光センサ９を設け、アッパケース４に光センサ９を囲繞する囲繞壁部１１を設ける。この囲繞壁部１１は矢印Ｍ１方向に強い外力を受けたときに同方向に傾倒する。囲繞壁部１１には、光センサ９の光透過路９ｅに介在する被検出部１６が設けられている。この被検出部１６は囲繞壁部１１の傾倒に応じて前記光透過路９ｅを開通する。【選択図】図１１
2015185132.tif 000002
【特許請求の範囲】
【請求項１】
矩形状をなすロア主板部（３ａ）及びその各辺縁部から相互に連続して立ち上がる４つのロア側板部（３ｂ１〜３ｂ４）を有するロアケース（３）と、
矩形状をなすアッパ主板部（４ａ）及びその各辺縁部から相互に連続して立ち上がる４つのアッパ側板部（４ｂ１〜４ｂ４）を有するアッパケース（４）と、
前記４つのロア側板部（３ｂ１〜３ｂ４）の一つのロア側板部（３ｂ１）に前記４つのアッパ側板部（４ｂ１〜４ｂ４）の一つのアッパ側板部（４ｂ１）を回動可能に係合することにより前記アッパケース（４）をロアケース（３）に開閉可能に設けた構成であり、閉塞状態で前記ロア側板部（３ｂ１〜３ｂ４）に対して前記アッパ側板部（４ｂ１〜４ｂ４）が接合した形態となり、内部にセキュリティ機能を実現するための電子部品及び表示器（８）を備えたケース（２）と、
光透過路（９ｅ）を有し当該光透過路（９ｅ）における被検出部の有無に応じて検出信号を出力し、前記ロアケース（３）において前記一つのロア側板部（３ｂ１）とは反対側である開放側のロア側板部（３ｂ３）の近くに、前記光透過路（９ｅ）が前記開放側のロア側板部（３ｂ３）と前記一つのロア側板部（３ｂ１）との対向方向とは直交する方向に光を透過させる向きとなるように設けられたアッパケース開放検出用の光センサ（９）と、
前記光センサ（９）を囲繞するための囲繞壁部（１１）であって、前記アッパケース（４）の前記アッパ主板部（４ａ）の内面における前記開放側のアッパ側板部（４ｂ３）の近傍に、前記アッパ主板部（４ａ）の内面から前記ロア主板部（３ａ）内面方向へ突出する形態に形成され、前記光センサ（９）と前記開放側のアッパ側板部（４ｂ３）及びこれの両側に連なるアッパ側板部（４ｂ２、４ｂ４）との間に介在する壁板部（１１ａ〜１１ｃ）を有し、前記一つのアッパ側板部（４ｂ１）方向への外力が作用したときに当初の形態から前記一つのアッパ側板部（４ｂ１）方向へ傾倒する囲繞壁部（１１）と、
この囲繞壁部（１１）に形成され、アッパケース（４）の閉塞時において前記囲繞壁部（１１）が非傾倒状態であるときに前記光センサ（９）の前記光透過路（９ｅ）に介在して当該光透過路（９ｅ）を遮断し前記アッパケース（４）の閉塞時において前記囲繞壁部（１１）が傾倒したときに当該傾倒に伴って前記光透過路（９ｅ）から外れて当該光透過路（９ｅ）を開通させる被検出部（１６）と、
前記囲繞壁部（１１）が傾倒したとき当該囲繞壁部（１１）が前記光センサ（９）に当たる前に当該囲繞壁部（１１）の傾倒を止める傾倒規制手段（１７、１８）と、
を備えたセキュリティ機器。
【請求項２】
前記アッパケース（４）の前記一つのアッパ側板部（４ｂ１）は前記ロアケース（３）の前記一つのロア側板部（３ｂ１）に係合手段（５）により回動可能に係合され、
前記係合手段（５）は、前記一つのアッパ側板部（４ｂ１）に形成した被係合部（５ｂ）と、前記一つのロア側板部（３ｂ１）に形成した係合部（５ａ）とから構成され、前記被係合部（５ｂ）は前記係合部（５ａ）に対して側方から係脱可能に係合しロアケース（３）に対してアッパケース（４）が離反する方向には外れない構成であり、
前記開放側のロア側板部（３ｂ３）及び前記開放側のアッパ側板部（４ｂ３）には前記ロアケース（３）に対する前記アッパケース（４）の閉塞状態をロックするロック手段（６）を備え、
前記ケース（２）には特定操作により前記ロック手段（６）のロックを解除するためのロック解除部（１５ａ）を備えた請求項１記載のセキュリティ機器。
【発明の詳細な説明】
【技術分野】
【０００１】
本発明は、セキュリティシステムのホームコントローラ等のセキュリティ機器に関する。
【背景技術】
【０００２】
家屋等の建物に備えられるセキュリティシステムにおいては、防災用、防犯用の各種のセンサやスイッチ等を建物や敷地に設けると共に、それらセンサ等の全体を統括管理するホームコントローラを建物に設けて構成される。セキュリティ機器としてのホームコントローラは、薄形のケース内にセキュリティ機能を実現するための電子部品や、設定内容を表示したり監視状況を表示したりする表示器を備えている。前記ケースは、ロアケースと、一端部がロアケースの一端部に回動可能に係合されて当該一端部を中心として開閉可能に設けられたアッパケースとから構成されている。
【０００３】
このホームコントローラは、前記各種センサ等からの信号を監視し、異常検出時に、ユーザーに対する報知や、警備会社への通報を行うようになっている。
この種のセキュリティシステムにあっては、例えば建物内に侵入した賊（空き巣等）が、システムによる監視を解除させたり、セキュリティを無効化させたりするために、前記ホームコントローラのロアケースとアッパケースとの接合部をドライバのような不正道具を挿入してアッパケースを無理やりこじ開けることが想定される。その対策として、ロアケースに例えば光透過型の光センサを設け、ロアケースに光センサの透過光を遮断する被検出部を設ける構成とし、システムの監視時においてアッパケースがこじ開けられると前記光センサがアッパケースの不正開放を検出し、警備会社等に知らせるようにしている。
【０００４】
前記光センサは、ロアケースにおいて前記回動中心とは反対側である開放側の他端部に設けられていて、アッパケースの開放角度が小さくても早くアッパケースの不正開放を検出するようになっている。
【先行技術文献】
【特許文献】
【０００５】
【特許文献１】特開２０１２−１８５８６０号公報
【発明の概要】
【発明が解決しようとする課題】
【０００６】
ところで、最近では、表示器が薄形で大型化しており、監視状況を映し出すことも容易となっている。このような大型の表示器をケースに搭載する場合、表示器の外周縁部がケースの周縁部近くまで到達する形態となるため、ケースにおける余白部分が当該ケースの周縁部近くのみとなってしまう。このため、前記光センサを設置する部分もロアケースの周縁部近くとなってしまう。すると、前記不正道具が光センサに届きやすくなって、アッパケースの不正開放が検出される前に当該光センサが壊されてしまうおそれがある。光センサが壊されると、光センサが開放検出信号を出力できなくなってしまう。このためアッパケースが不正に開放されてもこれを検出できなくなってしまい、警備会社などへの通報ができなくなってしまう。
又、光センサがロアケースの周縁部（ロアケースとアッパケースとの接合部分）近くに位置することで、ホームコントローラを窓際等に設置した場合にケース外部からの強い光（太陽光）がケース内に入りやすくなってしまい、光センサが誤動作するおそれもある。
【０００７】
本発明は上述の事情に鑑みてなされたものであり、その目的は、アッパケースの開放検出用の光センサを備えたセキュリティ機器において、光センサが不正に壊されることを回避できると共に、光センサが不正に壊される前及びアッパケースが不正開放されるまえに、光センサ及びセキュリティ機器に対する破壊行為を検知することが可能であり、さらに光センサが外部光によって誤動作することを回避できるセキュリティ機器を提供することにある。
【課題を解決するための手段】
【０００８】
請求項１の発明においては、ケース（２）の内部に表示器（８）を備えている。表示器（８）は前述したように大型化してきていることから、大型の表示器（８）を採用することを考慮すると、アッパケース開放検出用の光センサ（９）は、ロアケース（３）において開放側のロア側板部（３ｂ３）の近くに設けられる。
【０００９】
このように光センサ（９）が、ロアケース（３）の開放側のロア側板部（３ｂ３）の近くに設けられると、賊が不正道具を用いてロアケース（３）とアッパケース（４）との接合部でアッパケース（４）をこじ開けるようとしたときに、不正道具が光センサ（９）に届きやすくなって当該光センサ（９）を壊してしまうおそれがある。
【００１０】
この場合、常習的な賊であると、不正道具を入れて光センサ（９）の破壊行為を行う場合、アッパケース（４）が僅かでも開くと、どこが開放側のロア側板部であるか見当をつけ、開放側のロア側板部（３ｂ３）及びアッパ側板部（４ｂ３）の接合部から不正道具を差し込んで光センサ（９）を壊すことが予測される。
【００１１】
この点、請求項１の発明では、囲繞壁部（１１）において光センサ（９）と開放側のアッパ側板部（４ｂ３）との間に壁板部（１１ａ）が介在するので、光センサ（９）の近くである開放側のロア側板部（３ｂ３）及びアッパ側板部（４ｂ３）の接合部から不正道具がケース（２）内部に進入し得たとしても、この不正道具が壁板部（１１ａ）に当たる。この時、不正道具が強い力で差し込まれると、囲繞壁部（１１）が一つのアッパ側板部（４ｂ１）方向へ傾倒する。しかし、囲繞壁部（１１）が光センサ（９）に当たる前に傾倒規制手段（１７、１８）が、当該囲繞壁部（１１）のそれ以上の傾倒を阻止するため、不正道具の外力がこの囲繞壁部（１１）を介して光センサ（９）に及ぶことがないと共に、不正道具が光センサ（９）当たることも阻止できる。従って光センサ（９）を不正道具から防御でき、光センサ（９）が壊されることを回避できる。
【００１２】
しかも、囲繞壁部（１１）が傾倒することで、この囲繞壁部（１１）に設けられた被検出部（１６）が光センサ（９）の光透過路（９ｅ）から外れ、当該光透過路（９ｅ）が開通する。これにより光センサ（９）が、未だアッパケース（４）が開放されていない状態でも、不正開放と同様に検出信号を出力する。これにより、ユーザーに対する報知や、警備会社への通報がなされる。この結果、アッパケース（４）がこじ開けられる前に、光センサ（９）に対する破壊行為ひいてはセキュリティ機器に対する破壊行為を検知することが可能となる。従って、光センサ（９）ひいてはセキュリティ機器に対する賊の破壊行為自体を看過することがない。
【００１３】
又、この請求項１の発明では、囲繞壁部（１１）を、開放側のロア側板部（３ｂ３）の両側に連なるロア側板部（３ｂ２、３ｂ４）と、光センサ（９）との間に介在する壁板部（１１ｂ、１１ｃ）を有する構成としたので、不正道具がこのロア側板部（３ｂ２、３ｂ４）方向から向かってきたとしても、この壁板部（１１ｂ、１１ｃ）によって、光センサ（９）を不正道具から防御でき、光センサ（９）の破壊防止に一層効果的である。なお、光センサ（９）は、回動支点側である一つのロア側板部（３ｂ１）及び一つのアッパ側板部（４ｂ１）とは遠いので、この方向から光センサ（９）が壊されることはない。
【００１４】
又、光センサ（９）が、ロアケース（３）の前記開放側のロア側板部（３ｂ３）の近くに位置することで、セキュリティ機器を窓際等に設置した場合にケース（２）外部から太陽光などの外部光が光センサ（９）に入りやすくなることが懸念されるが、この請求項１の発明によれば、前記開放側のロア側板部（３ｂ３）及びその両側のロア側板部（３ｂ２、３ｂ４）と光センサ（９）との間に介在する囲繞壁部（１１）の壁板部（１１ａ〜１１ｃ）により光センサ（９）に外部光が入ることを防止できる。従って、光センサ（９）の誤動作も防止できる。
【００１５】
又、アッパケース（４）が回動支点を中心として開放された場合に当該アッパケース（４）の前記開放側のアッパ側板部（４ｂ３）が先にロアケース（３）に対して離間（開放）する。そして被検出部（１６）をアッパケース（４）の前記開放側のアッパ側板部（４ｂ３）側に設け、光センサ（９）をロアケース（３）の前記開放側のロア側板部（３ｂ３）側に設けているので、アッパケース（４）の開放角度が小さくても、当該アッパケース（４）の開放（不正開放）を直ちに検出することができる。
【００１６】
請求項２の発明においては、前記アッパケース（４）の一つのアッパ側板部（４ｂ１）は前記ロアケース（３）の一つのロア側板部（３ｂ１）に係合手段（５）により回動可能に係合し、前記係合手段（５）は、前記一つのアッパ側板部（４ｂ１）に形成した被係合部（５ｂ）と、前記一つのロア側板部（３ｂ１）に形成した係合部（５ａ）とから構成され、前記被係合部（５ｂ）は前記係合部（５ａ）に対して側方から係脱可能に係合しロアケース（３）に対してアッパケース（４）が離反する方向には外れない構成であり、前記開放側のロア側板部（３ｂ３）及び前記開放側のアッパ側板部（４ｂ３）には前記ロアケース（３）に対する前記アッパケース（４）の閉塞状態をロックするロック手段（６）を備え、前記アッパケース（４）又はロアケース（３）には特定操作により前記ロック手段（６）のロックを解除するためのロック解除部（１５ａ）を備えている。
【００１７】
これによれば、アッパケース（４）が閉塞された状態では、当該アッパケース（４）はロアケース（３）に対して離反する方向には外れない。つまり、係合手段（５）部分ではアッパケース（４）がロアケース（３）に係合されていて当該アッパケース（４）を外せない。そこで、前記開放側のロア側板部（３ｂ３）及び前記開放側のアッパ側板部（４ｂ３）に前記ロアケース（３）に対する前記アッパケース（４）の閉塞状態をロックするロック手段（６）を備えることで、１つのロック手段（６）によりアッパケース（４）の全体的な閉塞をロックできる。
【００１８】
さらに、本請求項２の発明においては、特定操作によりロック手段（６）のロックを解除するためのロック解除部（１５ａ）を備えることにより、ユーザーの特定操作により簡単にロックを解除でき且つ賊に対して簡単にロックを解除できないようにできる。
【００１９】
ところが上述の構成においては、常習的な賊の場合、最初から、このロック解除部（１５ａ）が有る前記開放側のロア側板部（３ｂ３）を狙って不正道具を差し込むことも懸念される。この場合、このロック解除部（１５ａ）が存在する前記開放側のロア側板部（３ｂ３）及び前記開放側のアッパ側板部（４ｂ３）部分に上述の光センサ（９）も存在するため、この光センサ（９）が前記不正道具によって壊される確率も高くなることが予想される。しかし、この請求項２の発明では、光センサ（９）に対する破壊行為確率が高い場合でも、前述したように囲繞壁部（１１）により光センサ（９）を有効に防御できる共に、アッパケース（４）がこじ開けられる前に、光センサ（９）に対する破壊行為ひいてはセキュリティ機器に対する破壊行為を検知することが可能となる。
【図面の簡単な説明】
【００２０】
【図１】本発明の第１実施形態によるセキュリティ機器の斜視図
【図２】アッパケースを取り外した状態のセキュリティ機器の斜視図
【図３】セキュリティ機器の縦断側面図
【図４】ロック部部分の分解斜視図
【図５】光センサ部分の斜視図
【図６】光センサ部分の平面図
【図７】囲繞壁部部分の下面図
【図８】囲繞壁部部分の斜視図
【図９】光センサ及び囲繞壁部部分の縦断側面図
【図１０】図９の線Ｑ−Ｑによる横断平面図
【図１１】不正道具が差し込まれた場合の一例を示す光センサ及び囲繞壁部部分の平面図
【発明を実施するための形態】
【００２１】
以下、本発明の第１実施形態について図１〜図１１を参照して説明する。図１には、例えばセキュリティシステムのホームコントローラなどに採用されるセキュリティ機器１を示している。セキュリティ機器１のケース２は、合成樹脂製のロアケース３とアッパケース４とを有して構成されている。なお、上記ケース２は建物などの垂直な壁面などに配設されるが、以下の構成説明においては、便宜上、ロアケース３が適宜の水平面に置かれていると仮定して説明する。
【００２２】
ロアケース３は、矩形状をなすロア主板部３ａと、当該ロア主板部３ａの各辺縁部から相互に連続して立ち上がる４つのロア側板部３ｂ１〜３ｂ４を有する構成としている。なお、ロア側板部３ｂ１を第１のロア側板部３ｂ１と称し、ロア側板部３ｂ２を第２のロア側板部３ｂ２と称し、ロア側板部３ｂ３を第３のロア側板部３ｂ３と称し、ロア側板部３ｂ４を第４のロア側板部３ｂ４と称する。
【００２３】
一つのロア側板部に相当する前記第１のロア側板部３ｂ１には、係合手段５（図２及び図３参照）の係合部に相当する二つの係合孔部５ａ、５ａが形成されている。前記第１のロア側板部３ｂ１とは反対側である開放側のロア側板部に相当する第３のロア側板部３ｂ３には、ロック手段６（図２〜図４参照）の一部を構成するロック片部６ａを上方へ延出するように形成しており、このロック片部６ａは、図３に二点鎖線で示すように可撓変形可能である。このロック片部６ａには係止孔部６ｂが形成されている。
【００２４】
上記ロアケース３のロア主板部３ａ内面には、図示しないセキュリティ機能を実現するための電子部品（図示せず）を実装した制御基板７が配設されていると共に、この制御基板７に矩形状をなす表示器８が搭載されている。この表示器８は、例えば液晶ディスプレーから構成され、一面に表示面８ａを有する。この表示器８は、平面的な大きさが大きく、外周縁部はロアケース３の各ロア側板部３ｂ１〜３ｂ４の近くまで到達する。このため、表示器８の外周縁部とロアケース３の各ロア側板部３ｂ１〜３ｂ４との間（余白部分）は比較的狭くなっている。
【００２５】
図２図３、図５に示すように、光センサ９は、前記ロアケース３において、表示器８と開放側の第３のロア側板部３ｂ３と間となる部位に、後述するセンサ用基板１０及び取り付けボス部３ｄにより取り付けられている。この光センサ９はアッパケース開放検出用である。この場合、表示器８の外周縁部と第３のロア側板部３ｂ３との間が狭いことからこの光センサ９は第３のロア側板部３ｂ３の近くに位置する。
【００２６】
この光センサ９は光透過型であり、図５及び図６に示すように、橋架部９ｈの両端部に一対のほぼ平行なアーム部９ａ、９ｂを一方向に突出した形態をなす。前記アーム部９ａ、９ｂの内部にそれぞれ発光部９ｃ及び受光部９ｄを備えており、このアーム部９ａ、９ｂの間に発光部９ｃから受光部９ｄへ光が透過する光透過路９ｅ（一点鎖線で示す）を有している。そして、この光センサ９の一面（アーム部９ａ、９ｂ先端面と反対側の面）を基板取付面９ｉとしている。この基板取付面９ｉにはセンサ用基板１０が取り付けられている。当該センサ用基板１０と光センサ９とは一体物（センサユニット９Ａ）とされている。
【００２７】
前記センサ用基板１０は、光センサ９より上下方向に長い寸法であり、当該センサ用基板１０の上部に光センサ９が位置する。
前記ロア主板部３ａにおいて開放側の第３のロア側板部３ｂ３の近傍部には取り付けボス部３ｄが形成されており、この取り付けボス部３ｄに前記センサ用基板１０の下端部が挿入固定されている。これにより、光センサ９がロアケース３において開放側のロア側板部である第３のロア側板部３ｂ３の近くに設けられている。この光センサ９は、この取付状態において、光透過路９ｅが第３のロア側板部３ｂ３と第１のロア側板部３ｂ１との対向方向（図６の矢印Ｍ方向）とは直交する方向（図６の矢印Ｍ´方向）に光を透過させる向きとなる。
【００２８】
一方、前記アッパケース４は、矩形状をなすアッパ主板部４ａと、このアッパ主板部４ａの各辺縁部から相互に連続して立ち上がる４つのアッパ側板部４ｂ１〜４ｂ４を有する。なお、アッパ側板部４ｂ１を第１のアッパ側板部４ｂ１と称し、アッパ側板部４ｂ２を第２のアッパ側板部４ｂ２と称し、アッパ側板部４ｂ３を第３のアッパ側板部４ｂ３、アッパ側板部４ｂ４を第４のアッパ側板部４ｂ４と称する。
【００２９】
又、このアッパ主板部４ａには、表示器用窓４ｃが設けられており、この表示器用窓４ｃには透明パネル４ｄが装着されている。なお、この透明パネル４ｄは無くても良い。
前記第１のアッパ側板部４ｂ１には、前記係合孔部５ａ、５ａとで、前記係合手段５を構成する被係合部としての係合突起部５ｂ、５ｂが形成されている。この係合突起部５ｂ、５ｂは前記係合孔部５ａ、５ａに横方向（側方、図３の矢印Ｂ方向）から挿入係合可能であり、挿入係合されると上下方向（アッパケース４がロアケース３と離反する方向）には外れない形態に係合される。
【００３０】
又、前記第３のアッパ側板部４ｂ３の内面には、図２〜図４に示すように、前記ロック片部６ａ及び係止孔部６ｂとでロック手段６を構成する係止爪部６ｃが形成されている。前記係止爪部６ｃは前記係止孔部６ｂに挿入されて係止される。
【００３１】
図７及び図８に示すように、アッパケース４のアッパ主板部４ａの内面における開放側のアッパ側板部である第３のアッパ側板部４ｂ３の近傍には、光センサ９を囲繞するための囲繞壁部１１が形成されている。この囲繞壁部１１は、前記アッパ主板部４ａの内面からロア主板部３ａ内面方向へ突出する形態に形成されている。この囲繞壁部１１は、光センサ９と第３のアッパ側板部４ｂ３及びこれの両側に連なるアッパ側板部４ｂ２、４ｂ４との間に介在する壁板部１１ａ〜１１ｃを有する。
【００３２】
そして、前記壁板部１１ａ〜１１ｃのうち、中央の壁板部１１ａが前記アッパ主板部４ａの内面に連続している。つまり、両側の壁板部１１ｂ、１１ｃはアッパ主板部４ａの内面に対して離間している。これにより、中央の壁板部１１ａに図７、図９及び図１１に示すように、第１のアッパ側板部４ｂ１方向（矢印Ｍ１方向）の外力（賊による強い外力）を受けたときには、図１１に示すように、中央の壁板部１１ａの根元部分で屈曲することにより囲繞壁部１１は当初の形態（非傾倒状態）から矢印Ｍ１方向へ傾倒するようになっている。
【００３３】
囲繞壁部１１が傾倒した場合、両側の壁板部１１ｂ、１１ｃにおけるアッパ主板部４ａに近い角部１１ｂ１、１１ｃ１が、囲繞壁部１１が光センサ９に当たる前に、当該アッパ主板部４ａ内面に当たる構成となっており、これら囲繞壁部１１の角部１１ｂ１、１１ｃ１により傾倒規制手段１７、１８が構成されている。
【００３４】
この囲繞壁部１１には、被検出部１６が形成されている。この被検出部１６は、中央の壁板部１１ａの裏面から突出する突出片部１１ｄの先端部に、この突出片部１１ｄからロア主板部３ａ内面方向へ突出する形態に形成されている。この被検出部１６と前記中央の壁板部１１ａの裏面との間には隙間Ｇが形成されている。この被検出部１６は、後述するが、アッパケース４の閉塞時において囲繞壁部１１が当初の形態（傾倒しない状態）であるときに光センサ９の光透過路９ｅに介在して当該光透過路９ｅを遮断し、アッパケース４の閉塞時において囲繞壁部１１が傾倒したときに当該傾倒に伴って光透過路９ｅから外れて当該光透過路９ｅを開通させる。
【００３５】
又、前記第３のアッパ側板部４ｂ３においてロック片部６ａの上部と対応する部分には、ロック解除部としてのロック解除用孔部１５ａが形成されている。又、この実施形態では、このロック解除用孔部１５ａに差し込むための解除器具１５ｂを備えている。
【００３６】
上記アッパケース４をロアケース３に取り付ける場合には、係止突起部５ｂ、５ｂを、ロアケース３の前記係止孔部５ａ、５ａに側方（図３の矢印Ｂ方向）から挿入係合し、この係合部分を回動支点としてアッパケース４を回動させてロアケース３に被せる（ロアケース３を閉塞する）。すると係止爪部６ｃがロック片部６ａを図３の二点鎖線のように変形させ、そしてロック片部６ａが係止孔部６ｂに遭遇したところでロック片ａが変形状態から復帰して係止爪部６ｃが係止孔部６ｂに係止される。この係止によりロアケース３に対するアッパケース４の閉塞状態をロックする。この閉塞状態のケース２において、ロアケース３の各のロア側板部３ｂ１〜３ｂ４に対してアッパケース４のアッパ側板部４ｂ１〜４ｂ４が板厚方向で接合された形態となる。
【００３７】
前記アッパケース４をロアケース３に対して開放する場合には、ロック解除用孔部１５ａに対して解除器具１５ｂを挿入して（特定操作をして）ロック片部６ａを図３の二点鎖線に示すように変形させ、つまり係止孔部６ｂを係止爪部６ｃから外して係合を解除し、この状態で、アッパケース４の第３のロア側板部３ｂ３部分を二点鎖線で示すように開放させる。この後、二点鎖線状態のアッパケース４を図３の反矢印Ｂ方向へ動かすことで、係合突起部５ｂを係合孔部５ａから外せば、アッパケース４をロアケース３から分離できる。
【００３８】
又、上記アッパケース４の閉塞時には、図９及び図１０に示すように被検出部１６が光透過路９ｅに介在する。さらに、囲繞壁部１１の中央の壁板部１１ａが光センサ９の一面側（基板取付面９ｉと反対側の面）と第３のアッパ側板部４ｂ３との間に介在し、両側の壁板部１１ｂ、１１ｃが夫々光センサ９の両側面と第２のアッパ側板部４ｂ２、第４のアッパ側板部４ｂ４との間に介在する。
【００３９】
なお、アッパケース４が第１のアッパ側板部４ｂ１側の係合手段５を中心として開放された場合に当該アッパケース４の第３のアッパ側板部４ｂ３が先にロアケース３に対して離間（開放）する。この場合、被検出部１６をアッパケース４の第３のアッパ側板部４ｂ３側に設け、光センサ９をロアケース３の第３のロア側板部３ｂ３側に設けているので、アッパケース４の開放角度が小さくても、当該アッパケース４の開放つまり不正開放を直ちに検出することができる。
【００４０】
上述した実施形態においては、大型の表示器８を採用している。このような大型の表示器８を採用する場合、ロアケース３において表示器８と第３のロア側板部３ｂ３との間の余白部分がどうしても狭くなる。このような事情下では、アッパケース開放検出用の光センサ９は、ロアケース３において上記狭い余白部分に設けられることになる。
【００４１】
光センサ９は、上記余白部分のうちでも、アッパケース４が第１のアッパ側板部４ｂ１側を回動支点として開閉される場合、早くにアッパケース４の開放を検出できる第３のロア側板部３ｂ３側に設けられることになる。この場合、上記余白部分が狭いことから光センサ８は当然当該ロア側板部３ｂの近くとなる。
【００４２】
このように光センサ９が、ロアケース３の第３のロア側板部３ｂ３の近くに設けられると、賊が不正道具を用いてロアケース３とアッパケース４との接合部でアッパケース４をこじ開けるようとしたときに、不正道具が光センサ９に届きやすくなって当該光センサ９を壊してしまうおそれがある。
【００４３】
この場合、常習的な賊であると、不正道具を入れて光センサ９の破壊行為を行う場合、アッパケース４が僅かでも開くと、どこが開放側のロア側板部であるか見当をつけ、開放側のロア側板部３ｂ３及びアッパ側板部４ｂ３の接合部から不正道具を差し込んで光センサ９を壊すことが予測される。
【００４４】
この点、この実施形態では、囲繞壁部１１において光センサ９と開放側のアッパ側板部である第３のアッパ側板部４ｂ３との間に中央の壁板部１１ａが介在するので、光センサ９の近くである第３のロア側板部３ｂ３及び第３のアッパ側板部４ｂ３の接合部から不正道具がケース２内部に進入し得たとしても、この不正道具が中央の壁板部１１ａに当たる。この時、不正道具が強い力で差し込まれると、図１１に示すように、囲繞壁部１１が矢印Ｍ１方向へ傾倒する。しかし、囲繞壁部１１が光センサ９に当たる前に傾倒規制手段１７、１８がアッパ主板部４ａ内面に当たって、当該囲繞壁部１１のそれ以上の傾倒が阻止されるため、不正道具による外力が囲繞壁部１１を介して光センサ９に及ぶことがなく、且つ、不正道具が光センサ９に当たることも阻止できる。従って、当該光センサ９を不正道具から防御でき、光センサ９が壊されることを回避できる。
【００４５】
しかも、この実施形態では、囲繞壁部１１が傾倒することで、被検出部１６が光センサ９の光透過路９ｅから外れ、相対的に光透過路９ｅが前記隙間Ｇで開通する。これにより光センサ９が、未だアッパケース４が開放されていない状態でも、不正開放と同様に検出信号を出力する。これにより、ユーザーに対する報知や、警備会社への通報がなされる。この結果、アッパケース４がこじ開けられる前に、光センサ９に対する破壊行為ひいてはセキュリティ機器に対する破壊行為を検知することが可能となる。従って、光センサ９ひいてはセキュリティ機器に対する賊の破壊行為自体を看過することがない。
【００４６】
又、この実施形態では、囲繞壁部１１を、第３のロア側板部３ｂ３の両側に連なるロア側板部３ｂ２、３ｂ４と、光センサ９との間に介在する壁板部１１ｂ、１１ｃを有する構成としたので、ロア側板部３ｂ２、３ｂ４から向かってきたとしても、これら壁板部１１ｂ、１１ｃによって、光センサ９を不正道具から防御でき、光センサ９の破壊防止に一層効果的である。なお、光センサ９は、回動支点側である第１のロア側板部３ｂ１及び第１のアッパ側板部４ｂ１とは遠いので、この方向から光センサ９が壊されることはない。
【００４７】
又、光センサ９が、ロアケース３の第３のロア側板部３ｂ３の近くに位置することで、セキュリティ機器を窓際等に設置した場合にケース２外部から太陽光などの外部光が光センサ９に入りやすくなることが懸念されるが、この実施形態によれば、第３のロア側板部３ｂ３及びその両側のロア側板部３ｂ２、３ｂ４と、光センサ９との間に介在する囲繞壁部１１の壁板部１１ａ〜１１ｃにより光センサ９に外部光が入ることを防止できる。従って、光センサ９の誤動作も防止できる。
【００４８】
又、アッパケース４が回動支点を中心として開放された場合に当該アッパケース４の開放側のアッパ側板部である第３のアッパ側板部４ｂ３が先にロアケース３に対して離間（開放）する。そして被検出部１６をアッパケース４の第３のアッパ側板部４ｂ３側に設け、光センサ９をロアケース３の第３のロア側板部３ｂ３側に設けているので、アッパケース４の開放角度が小さくても、当該アッパケース４の開放つまり不正開放を直ちに検出することができる。
【００４９】
又、本実施形態においては、係合手段５を、第１のアッパ側板部４ｂ１に形成した係合突起部５ｂ、５ｂと、第１のロア側板部３ｂ１に形成した係合孔部５ａ、５ａとから構成し、前記係合突起部５ｂ、５ｂを前記係合孔部５ａに対して側方から係脱可能に係合しロアケース３に対してアッパケース４が離反する方向には外れない構成とし、第３のロア側板部３ｂ３及び第３のアッパ側板部４ｂ３にはロアケース３に対するアッパケース４の閉塞状態をロックするロック手段６を備え、アッパケース４又はロアケース３には特定操作によりロック手段６のロックを解除するためのロック解除用孔部１５ａを備えている。
【００５０】
これによれば、アッパケース４が閉塞された状態では、当該アッパケース４はロアケース３に対して離反しない。つまり、係合手段５部分ではアッパケース４がロアケース３に係合されていて当該アッパケース４を外せない。そこで、第３のロア側板部３ｂ３及び第３のアッパ側板部４ｂ３に、ロアケース３に対するアッパケース４の閉塞状態をロックするロック手段６を備えることで、１つのロック手段６によりアッパケース４の全体的な閉塞をロックできる。
さらに、この実施形態では、特定操作によりロック手段６のロックを解除するためのロック解除部であるロック解除用孔部１５ａを備えることにより、ユーザーの特定操作により簡単にロックを解除でき且つ賊に対して簡単にロックを解除できないようにできる。
【００５１】
ところが上述の構成とすると、賊がわざわざこのロック解除用孔部１５ａがある第３のロア側板部３ｂ３を狙って不正道具を差し込むことも懸念される。この場合、このロック解除用孔部１５ａが存在する第３のロア側板部３ｂ３及び第３のアッパ側板部４ｂ３部分に上述の光センサ９も存在するため、この光センサ９が前記不正道具によって壊される確率も高くなることが予想される。しかし、この実施形態では、光センサ９に対する破壊行為確率が高い場合でも、前述したように囲繞壁部１１により光センサ９を有効に防御できる。
【００５２】
なお、囲繞壁部１１の壁板部を、第１〜第３の壁板部１１ａ〜１１ｃから平面的に見てコ字状に構成したが、円弧状などでも良い。
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変更は、発明の範囲や要旨に含まれるとともに、特許請求の範囲に記載された発明とその均等の範囲に含まれる。
【符号の説明】
【００５３】
図面中、１はセキュリティ機器、２はケース、３はロアケース、３ａはロア主板部、３ｂ１〜３ｂ４はロア側板部、４はアッパケース、４ａはアッパ主板部、４ｂ１〜４ｂ４はアッパ側板部、５は係合手段、６はロック手段、８は表示器、９は光センサ、１０はセンサ用基板、１１は囲繞壁部、１１ａ〜１１ｃは壁板部、１５ａはロック解除部、１６は被検出部、１７、１８は傾倒規制手段を示す。
【図１】
2015185132.tif 000003
【図２】
2015185132.tif 000004
【図３】
2015185132.tif 000005
【図４】
2015185132.tif 000006
【図５】
2015185132.tif 000007
【図６】
2015185132.tif 000008
【図７】
2015185132.tif 000009
【図８】
2015185132.tif 000010
【図９】
2015185132.tif 000011
【図１０】
2015185132.tif 000012
【図１１】
2015185132.tif 000013